(57)【要約】      （修正有）【課題】緩衝効果の高い可撓性石油ドリルパイプを提供する。【解決手段】可撓性石油ドリルパイプは、上ドリルパイプ１と下ドリルパイプ２を含む。上ドリルパイプの下端に上連結フランジ３が設けられ、下ドリルパイプの上端に下連結フランジ４が設けられ、上連結フランジと下連結フランジとの間には緩衝空隙５が設けられ、上連結フランジの下端に複数の上半球状溝６が均一に設けられ、上半球状溝上端の上連結フランジ内に、上半球状溝に相互に連通する上連結ボルト穴７が貫設され、下連結フランジの上端に複数の上半球状溝とが係合した下半球状溝８が均一に設けられ、下半球状溝下端の下連結フランジ内に、下半球状溝に相互に連通する下連結ボルト穴９が貫設され、上半球状溝と下半球状溝との間に回転可能な球体１０が設けられ、球体上端の上連結ボルト穴内に上連結ボルト１１が穿設される。【選択図】図１
0003228881.tif 000002
【実用新案登録請求の範囲】
【請求項１】
可撓性石油ドリルパイプであって、上ドリルパイプ（１）と下ドリルパイプ（２）を含み、前記上ドリルパイプ（１）の下端に上連結フランジ（３）が設けられ、前記下ドリルパイプ（２）の上端に下連結フランジ（４）が設けられ、前記上連結フランジ（３）と下連結フランジ（４）との間には緩衝空隙（５）が設けられ、前記上連結フランジ（３）の下端に複数の上半球状溝（６）が均一に設けられ、前記上半球状溝（６）上端の上連結フランジ（３）内に、上半球状溝（６）に相互に連通する上連結ボルト穴（７）が貫設され、前記下連結フランジ（４）の上端に複数の上半球状溝（６）が係合した下半球状溝（８）が均一に設けられ、前記下半球状溝（８）下端の下連結フランジ（４）内に、下半球状溝（８）に相互に連通する下連結ボルト穴（９）が貫設され、前記上半球状溝（６）と下半球状溝（８）との間に回転可能な球体（１０）が設けられ、前記球体（１０）上端の上連結ボルト穴（７）内に上連結ボルト（１１）が穿設され、前記上連結ボルト（１１）の下端は球体（１０）に接続され、前記上連結ボルト（１１）の上端は上連結ボルト穴（７）から延出して、上継手ナット（１２）に接続され、前記上継手ナット（１２）と上連結フランジ（３）との間の上連結ボルト（１１）に第１上ダンパ・スプリング（１３）が套設され、前記第１上ダンパ・スプリング（１３）の一端は上継手ナット（１２）に当接し、前記第１上ダンパ・スプリング（１３）の他の一端は上連結フランジ（３）に当接し、前記上連結ボルト（１１）外側の上連結フランジ（３）内に、複数の上連結ボルト穴（７）に相互に連通する上スプリング溝（１４）が均一に設けられ、前記上スプリング溝（１４）内に第２上ダンパ・スプリング（１５）が設けられ、前記第２上ダンパ・スプリング（１５）の一端は上連結フランジ（３）に当接し、前記第２上ダンパ・スプリング（１５）の他の一端は上連結ボルト（１１）に当接し、前記上連結ボルト穴（７）の内壁に上クッション・パッド（１６）が設けられ、前記球体（１０）下端の下連結ボルト穴（９）内に下連結ボルト（１７）が穿設され、前記下連結ボルト（１７）の上端は球体（１０）に接続され、前記下連結ボルト（１７）の下端は下連結ボルト穴（９）から延出して、下継手ナット（１８）に接続され、前記下継手ナット（１８）と下連結フランジ（４）との間の下連結ボルト（１７）に第１下ダンパ・スプリング（１９）が套設され、前記第１下ダンパ・スプリング（１９）の一端は下継手ナット（１８）に当接し、前記第１下ダンパ・スプリング（１９）の他の一端は下連結フランジ（４）に当接し、前記下連結ボルト（１７）外側の下連結フランジ（４）内に、複数の下連結ボルト穴（９）に相互に連通する下スプリング溝（２０）が均一に設けられ、前記下スプリング溝（２０）内に第２下ダンパ・スプリング（２１）が設けられ、前記第２下ダンパ・スプリング（２１）の一端は下連結フランジ（４）に当接し、前記第２下ダンパ・スプリング（２１）の他の一端は下連結ボルト（１７）に当接し、前記下連結ボルト穴（９）の内壁に下クッション・パッド（２２）が設けられることを特徴とする可撓性石油ドリルパイプ。
【考案の詳細な説明】
【技術分野】
【０００１】
本考案は石油機械に関し、特に可撓性石油ドリルパイプに関する。
【背景技術】
【０００２】
石油資源は再生不可能な資源であり、石油採掘の効率増強と潜在力制御強度の増大に伴い、油田掘削、油井修理作業は徐々により深く、複雑な地層に延びている。傾斜井、水平井とサービス竪坑がますます多くなってきて、そのような傾向の中で石油ドリルパイプに対する要求もますます高まっている。従来使用されていた石油ドリルパイプは、掘削過程で複雑な硬い地層に遭遇した場合、前向きに掘進しかできなく、トルクが分散できず、全く緩衝作用がなく、ドリルパイプの損傷が生じる可能性が極めて高くなり、最悪の場合はドリルパイプが折れこともある。ドリルパイプの使用寿命が短いため、使用に対する要求を満たすことができない。
【考案の概要】
【考案が解決しようとする課題】
【０００３】
本考案の解決しようとする技術的課題は、緩衝効果の高い可撓性石油ドリルパイプを提供することである。
【課題を解決するための手段】
【０００４】
本考案は、上記技術的課題を解決するため、以下の技術手段を採用する。可撓性石油ドリルパイプであって、上ドリルパイプと下ドリルパイプを含み、前記上ドリルパイプの下端に上連結フランジが設けられ、前記下ドリルパイプの上端に下連結フランジが設けられ、前記上連結フランジと下連結フランジとの間には緩衝空隙が設けられ、前記上連結フランジの下端に複数の上半球状溝が均一に設けられ、前記上半球状溝上端の上連結フランジ内に、上半球状溝に相互に連通する上連結ボルト穴が貫設され、前記下連結フランジの上端に複数の上半球状溝に係合した下半球状溝が均一に設けられ、前記下半球状溝下端の下連結フランジ内に、下半球状溝に相互に連通する下連結ボルト穴が貫設され、前記上半球状溝と下半球状溝との間に回転可能な球体が設けられ、前記球体上端の上連結ボルト穴内に上連結ボルトが穿設され、前記上連結ボルトの下端は球体に接続され、前記上連結ボルトの上端は上連結ボルト穴から延出して、上継手ナットに接続され、前記上継手ナットと上連結フランジとの間の上連結ボルトに第１上ダンパ・スプリングが套設され、前記第１上ダンパ・スプリングの一端は上継手ナットに当接し、前記第１上ダンパ・スプリングの他の一端は上連結フランジに当接し、前記上連結ボルト外側の上連結フランジ内に、複数の上連結ボルト穴に相互に連通する上スプリング溝が均一に設けられ、前記上スプリング溝内に第２上ダンパ・スプリングが設けられ、前記第２上ダンパ・スプリングの一端は上連結フランジに当接し、前記第２上ダンパ・スプリングの他の一端は上連結ボルトに当接し、前記上連結ボルト穴の内壁に上クッション・パッドが設けられ、前記球体下端の下連結ボルト穴内に下連結ボルトが穿設され、前記下連結ボルトの上端は球体に接続され、前記下連結ボルトの下端は下連結ボルト穴から延出して、下継手ナットに接続され、前記下継手ナットと下連結フランジとの間の下連結ボルトに第１下ダンパ・スプリングが套設され、前記第１下ダンパ・スプリングの一端は下継手ナットに当接し、前記第１下ダンパ・スプリングの他の一端は下連結フランジに当接し、前記下連結ボルト外側の下連結フランジ内に、複数の下連結ボルト穴に相互に連通する下スプリング溝が均一に設けられ、前記下スプリング溝内に第２下ダンパ・スプリングが設けられ、前記第２下ダンパ・スプリングの一端は下連結フランジに当接し、前記第２下ダンパ・スプリングの他の一端は下連結ボルトに当接し、前記下連結ボルト穴の内壁に下クッション・パッドが設けられる。
【考案の効果】
【０００５】
本考案の利点は、前記可撓性石油ドリルパイプが、斬新な構造を持ち、取り付けやすいことである。掘削過程で複雑な硬い地層に遭遇した場合、上ドリルパイプと下ドリルパイプ上に生じる軽微な回転傾斜でトルクを分散させ、効果的な緩衝の役割を果たし、ドリルパイプの損傷を防止でき、緩衝効果に優れ、ドリルパイプの使用寿命を延ばすことができる。
【図面の簡単な説明】
【０００６】
【図１】本考案の可撓性石油ドリルパイプの構造模式図である。
【考案を実施するための形態】
【０００７】
以下、本考案の具体的内容について図面と具体的実施形態を参照しながら詳細に説明する。
【０００８】
図１に示すように、可撓性石油ドリルパイプは、上ドリルパイプ１と下ドリルパイプ２を含み、前記上ドリルパイプ１の下端に上連結フランジ３が設けられ、前記下ドリルパイプ２の上端に下連結フランジ４が設けられ、前記上連結フランジ３と下連結フランジ４との間には緩衝空隙５が設けられ、前記上連結フランジ３の下端に複数の上半球状溝６が均一に設けられ、前記上半球状溝６上端の上連結フランジ３内に、上半球状溝６に相互に連通する上連結ボルト穴７が貫設され、前記下連結フランジ４の上端に複数の上半球状溝６が係合した下半球状溝８が均一に設けられ、前記下半球状溝８下端の下連結フランジ４内に、下半球状溝８と相互に連通する下連結ボルト穴９が貫設され、前記上半球状溝６と下半球状溝８との間に回転可能な球体１０が設けられ、前記球体１０上端の上連結ボルト穴７内に上連結ボルト１１が穿設され、前記上連結ボルト１１の下端は球体１０に接続され、前記上連結ボルト１１の上端は上連結ボルト穴７から延出して、上継手ナット１２に接続され、前記上継手ナット１２と上連結フランジ３との間の上連結ボルト１１に第１上ダンパ・スプリング１３が套設され、前記第１上ダンパ・スプリング１３の一端は上継手ナット１２に当接し、前記第１上ダンパ・スプリング１３の他の一端は上連結フランジ３に当接し、前記上連結ボルト１１外側の上連結フランジ３内に、複数の上連結ボルト穴７に相互に連通する上スプリング溝１４が均一に設けられ、前記上スプリング溝１４内に第２上ダンパ・スプリング１５が設けられ、前記第２上ダンパ・スプリング１５の一端は上連結フランジ３に当接し、前記第２上ダンパ・スプリング１５の他の一端は上連結ボルト１１に当接し、前記上連結ボルト穴７の内壁に上クッション・パッド１６が設けられ、前記球体１０下端の下連結ボルト穴９内に下連結ボルト１７が穿設され、前記下連結ボルト１７の上端は球体１０に接続され、前記下連結ボルト１７の下端は下連結ボルト穴９から延出して、下継手ナット１８に接続され、前記下継手ナット１８と下連結フランジ４との間の下連結ボルト１７に第１下ダンパ・スプリング１９が套設され、前記第１下ダンパ・スプリング１９の一端は下継手ナット１８に当接し、前記第１下ダンパ・スプリング１９の他の一端は下連結フランジ４に当接し、前記下連結ボルト１７外側の下連結フランジ４内に、複数の下連結ボルト穴９に相互に連通する下スプリング溝２０が均一に設けられ、前記下スプリング溝２０内に第２下ダンパ・スプリング２１が設けられ、前記第２下ダンパ・スプリング２１の一端は下連結フランジ４に当接し、前記第２下ダンパ・スプリング２１の他の一端は下連結ボルト１７に当接し、前記下連結ボルト穴９の内壁に下クッション・パッド２２が設けられる。
【０００９】
前記可撓性石油ドリルパイプを使用する場合、ドリルが複雑な硬い地層に当たった場合、トルクは下ドリルパイプ２に伝達され、更に下ドリルパイプ２から下連結フランジ４に伝達され、下連結フランジ４は球体１０を介して上連結フランジ３に伝達され、最後に上連結フランジ３から上ドリルパイプ１に伝達される。上ドリルパイプ１が力を受けた後に軽微な傾斜が発生することがあり、傾斜が発生した場合、上ドリルパイプ２の上連結フランジ３は球体１０に沿って回転する。上連結フランジ３は上連結ボルト穴７を傾斜して回転させ、上連結ボルト１１は第２上ダンパ・スプリング１５を相対押圧して第２上ダンパ・スプリング１５を収縮させ、これと同時に、上連結フランジ３は更に第１上ダンパ・スプリング１３を押圧して第１上ダンパ・スプリング１３を収縮させ、この時、上連結フランジ３は球体１０で任意の方向に沿って軽微な回転傾斜を発生させてトルクを分散させることができる。下ドリルパイプ２が力を受けた後に軽微な傾斜が発生することもあり、傾斜が発生した場合、下ドリルパイプ２の下連結フランジ４は球体１０に沿って回転する。下連結フランジ４は下連結ボルト穴９を傾斜して回転させ、下連結ボルト１７は第２下ダンパ・スプリング２１を相対押圧して第２下ダンパ・スプリング２１を収縮させ、これと同時に、下連結フランジ４は更に第１下ダンパ・スプリング１９を押圧して第１下ダンパ・スプリング１９を収縮させ、この時、下連結フランジ４は球体１０で任意の方向に沿って軽微な回転傾斜を発生させてトルクを分散させることができる。地層が柔らかい時、第１上ダンパ・スプリング１３、第２上ダンパ・スプリング１５、第１下ダンパ・スプリング１９と第２下ダンパ・スプリング２１をリセットし、これにより、上ドリルパイプ１と下ドリルパイプ２はドリルを下に向け掘削する。
【００１０】
前記可撓性石油ドリルパイプは、斬新な構造を持ち、取り付けやすい。掘削過程で複雑な硬い地層に遭遇した場合、上ドリルパイプと下ドリルパイプに生じる軽微な回転傾斜でトルクを分散させ、効果的な緩衝の役割を果たし、ドリルパイプの損傷を防止でき、緩衝効果に優れ、ドリルパイプの使用寿命を延ばすことができる。
【符号の説明】
【００１１】
１、上ドリルパイプ
２、下ドリルパイプ
３、上連結フランジ
４、下連結フランジ
５、緩衝空隙
６、上半球状溝
７、上連結ボルト穴
８、下半球状溝
９、下連結ボルト穴
１０、球体
１１、上連結ボルト
１２、上継手ナット
１３、第１上ダンパ・スプリング
１４、上スプリング溝
１５、第２上ダンパ・スプリング
１６、上クッション・パッド
１７、下連結ボルト
１８、下継手ナット
１９、第１下ダンパ・スプリング
２０、下スプリング溝
２１、第２下ダンパ・スプリング
２２、下クッション・パッド。
【図１】
0003228881.tif 000003